(57)【要約】【課題】トレイの掃除を簡単に行うことができるペットサークルを提供する。【解決手段】ペットサークル１は、トレイ２と、上下方向が開口されたサークル本体３の一部を構成する第１柵と、サークル本体３の他の一部を構成する第２柵と、脱着機構４とを備えている。トレイ２は、上下方向を板厚方向とする板状に形成されている。第１柵は、トレイ２の周縁の一部に沿ってトレイ２に組み付けられ、トレイ２から上方へ立設されている。第２柵は、トレイ２の周辺の他部に沿ってトレイ２及び第１柵に対して脱着可能に配置され、トレイ２から上方へ立設されている。脱着機構４は、第１柵又は第２柵に配設され、トレイ２及び第１柵に対して第２柵を脱着させる。【選択図】図２
0003220139.tif 000002
【実用新案登録請求の範囲】
【請求項１】
上下方向を板厚方向とする板状のトレイと、
当該トレイの周縁の一部に沿って前記トレイに組み付けられ、前記トレイから上方へ立設され、上下方向が開口されたサークル本体の一部を構成する第１柵と、
前記トレイの周辺の他部に沿って前記トレイ及び前記第１柵に対して脱着可能に配置され、前記トレイから上方へ立設され、前記サークル本体の他の一部を構成する第２柵と、
前記第１柵又は前記第２柵に配設され、前記トレイ及び前記第１柵に対して前記第２柵を脱着させる脱着機構と、
を備えているペットサークル。
【請求項２】
前記第２柵の下端部に設けられた係止部と、
前記トレイの上側に設けられ、前記第２柵が前記トレイ及び前記第１柵に装着状態のとき、前記係止部を係止する被係止部と、
を更に備え、
前記脱着機構は、前記第１柵又は前記第２柵の上部に配設されている
請求項１に記載のペットサークル。
【請求項３】
前記第１柵と前記第２柵との境界部分において、前記トレイの上面から前記第１柵及び前記第２柵の上部まで立設され、前記第１柵の周方向一端部に一方が連結されると共に、前記第１柵の周方向他端部に他方が連結され、前記サークル本体の骨格部材を構成する一対の支持柱を更に備え、
前記脱着機構は、前記支持柱に前記第２柵を装着し、かつ、前記支持柱から前記第２柵の装着状態を解除する構成とされている
請求項１又は請求項２に記載のペットサークル。
【請求項４】
前記脱着機構は、
前記第２柵の周方向端部から前記支持柱へ延設されたガイド部と、
当該ガイド部に摺動可能に配設され、前記第２柵が装着状態のとき前記支持柱に嵌合され、この嵌合が解除されたとき前記第２柵の装着状態を解除する脱着摺動部と、
を含んで構成されている請求項３に記載のペットサークル。
【請求項５】
前記脱着機構は、前記脱着摺動部を前記支持柱に嵌合させる方向へ付勢する弾性体を、更に備えている請求項４に記載のペットサークル。
【請求項６】
前記第２柵の装着状態を解除する前記脱着摺動部の前記ガイド部に沿った摺動を規制するストッパが、更に設けられている請求項４又は請求項５に記載のペットサークル。
【請求項７】
前記脱着摺動部よりも周方向内側に離間して前記第２柵に固定され、前記第２柵を装着状態から解除するときに、前記支持柱との嵌合を解除して前記脱着摺動部を摺動させるためのアシスト部を、更に備えている請求項４〜請求項６のいずれか１項に記載のペットサークル。
【請求項８】
前記第１柵又は前記第２柵に、装着状態から解除された前記第２柵を前記第１柵に引っ掛ける引掛部を、更に備えている請求項１〜請求項７のいずれか１項に記載のペットサークル。
【考案の詳細な説明】
【技術分野】
【０００１】
本考案は、ペットサークルに関する。
【背景技術】
【０００２】
下記特許文献１には、犬、猫等のペットの飼育に使用されるペットサークルが開示されている。このペットサークルはトレイとサークル本体とを含んで構成されている。トレイは、上下方向を厚さ方向とし、平面視において矩形状をなす樹脂製板材により形成されている。サークル本体は、トレイの四隅を囲ってトレイ上に組み付けられ、上下方向に開口を有する矩形筒枠状に形成されている。少し詳しく説明すると、サークル本体は、正面枠体、右側面枠体、背面枠体、左側面枠体を順次組み付けたケージ状の柵として構成されている。
【先行技術文献】
【特許文献】
【０００３】
【特許文献１】実用新案登録第３２０８７１９号
【考案の概要】
【考案が解決しようとする課題】
【０００４】
上記ペットサークルでは、トレイの周囲がトレイから高さを持つサークル本体により囲まれているので、サークル本体越しにトレイの表面を掃除する必要がある。このため、トレイの掃除がし難いので、改善の余地があった。
【０００５】
本考案は、上記事実を考慮して、トレイの掃除を簡単に行うことができるペットサークルを提供する。
【課題を解決するための手段】
【０００６】
本考案の第１実施態様に係るペットサークルは、上下方向を板厚方向とする板状のトレイと、トレイの周縁の一部に沿ってトレイに組み付けられ、トレイから上方へ立設され、上下方向が開口されたサークル本体の一部を構成する第１柵と、トレイの周辺の他部に沿ってトレイ及び第１柵に対して脱着可能に配置され、トレイから上方へ立設され、サークル本体の他の一部を構成する第２柵と、第１柵又は第２柵に配設され、トレイ及び第１柵に対して第２柵を脱着させる脱着機構と、を備えている。
【０００７】
本考案の第２実施態様に係るペットサークルは、第１実施態様に係るペットサークルにおいて、第２柵の下端部に設けられた係止部と、トレイの上側に設けられ、第２柵がトレイ及び第１柵に装着状態のとき、係止部を係止する被係止部と、を更に備え、脱着機構は、第１柵又は前記第２柵の上部に配設されている。
【０００８】
本考案の第３実施態様に係るペットサークルは、第１実施態様又は第２実施態様に係るペットサークルにおいて、第１柵と第２柵との境界部分において、トレイの上面から第１柵及び第２柵の上部まで立設され、第１柵の周方向一端部に一方が連結されると共に、第１柵の周方向他端部に他方が連結され、サークル本体の骨格部材を構成する一対の支持柱を更に備え、脱着機構は、支持柱に第２柵を装着し、かつ、支持柱から第２柵の装着状態を解除する構成とされている。
【０００９】
本考案の第４実施態様に係るペットサークルでは、第３実施態様に係るペットサークルにおいて、脱着機構は、第２柵の周方向端部から支持柱へ延設されたガイド部と、ガイド部に摺動可能に配設され、第２柵が装着状態のとき支持柱に嵌合され、この嵌合が解除されたとき第２柵の装着状態を解除する脱着摺動部と、を含んで構成されている。
【００１０】
本考案の第５実施態様に係るペットサークルでは、第４実施態様に係るペットサークルにおいて、脱着機構は、脱着摺動部を支持柱に嵌合させる方向へ付勢する弾性体を、更に備えている。
【００１１】
本考案の第６実施態様に係るペットサークルでは、第２柵の装着状態を解除する脱着摺動部のガイド部に沿った摺動を規制するストッパが、更に設けられている。
【００１２】
本考案の第７実施態様に係るペットサークルは、第４実施態様〜第６実施態様のいずれか１つに係るペットサークルにおいて、脱着摺動部よりも周方向内側に離間して第２柵に固定され、第２柵を装着状態から解除するときに、支持柱との嵌合を解除して脱着摺動部を摺動させるためのアシスト部を、更に備えている。
【００１３】
本考案の第８実施態様に係るペットサークルは、第１実施態様〜第７実施態様のいずれか１つに係るペットサークルにおいて、第１柵又は第２柵に、装着状態から解除された第２柵を第１柵に引っ掛ける引掛部を、更に備えている。
【考案の効果】
【００１４】
本考案によれば、掃除が簡単に行えるペットサークルを提供することができる。
【図面の簡単な説明】
【００１５】
【図１】本考案の一実施の形態に係るペットサークルを正面右側のやや上方から見た斜視図である。
【図２】図１に示されるペットサークルの柵の一部を取り外した状態を示す図１に対応する斜視図である。
【図３】図１及び図２に示されるペットサークルのトレイを示す図１に対応する斜視図である。
【図４】図１に示されるペットサークルの柵の一部を取り外して柵に引っ掛けた状態を示す背面右側のやや上方から見た斜視図である。
【図５】図１に示されるペットサークルの係止部及び被係止部を正面側やや上方から見た要部拡大斜視図である。
【図６】図１及び図２に示されるペットサークルの一部及び脱着機構を拡大した要部拡大斜視図である。
【図７】図６に示される脱着機構の装着状態におけるペットサークルの一部を正面側から見た要部拡大正面図である。
【図８】図７に示される脱着機構を含むペットサークルの一部を上面側から見た要部拡大平断面図（図７に示されるVIII−VIII線で切った要部拡大平断面図）である。
【図９】図６に示されるペットサークルの一部及び脱着機構を更に拡大した要部拡大斜視図である。
【図１０】（Ａ）は図６に示される脱着機構の脱着摺動部を正面側やや上方から見た拡大分解斜視図、（Ｂ）は図６に示される脱着機構のアシスト部の図１０（Ａ）に対応する拡大分解斜視図である。
【図１１】（Ａ）は図１０（Ａ）に示される脱着摺動部を背面側やや上方から見た拡大分解斜視図、（Ｂ）は図１０（Ｂ）に示されるアシスト部の図１１（Ａ）に対応する拡大分解斜視図である。
【図１２】図６に示される脱着機構の非装着状態におけるペットサークルの一部を正面側から見た図７に対応する要部拡大正面図である。
【考案を実施するための形態】
【００１６】
以下、図１〜図１２を用いて、本考案の一実施の形態に係るペットサークルについて説明する。
なお、図中、適宜、示されている矢印Ｘ、矢印Ｙ、矢印Ｚは、各々、三次元座標のＸ軸方向、Ｙ軸方向、Ｚ軸方向を示している。特に断りが無い限り、Ｘ軸方向、Ｙ軸方向、Ｚ軸方向は、各々、ペットサークルの左右方向、前後方向、上下方向を示している。実施の形態の説明の都合上、方向が示されるものであって、実施の形態に係るペットサークル並びに各構成要素が上記方向に限定されるものではない。
【００１７】
（ペットサークル１の全体構成）
図１及び図２に示されるように、ペットサークル１は全体として略直方体箱状に形成され、ペットサークル１の内部空間がペットの居住スペースとして使用されている。ここで、ペットサークル１は、犬用ペットサークルとして説明するが、特に犬に限定されるものではなく、猫等の動物を含めた動物用ペットサークルとして使用されてもよい。
ペットサークル１は、ペットサークル１の下端部を構成するトレイ２と、トレイ２に設置されて組み付けられたサークル本体３と、脱着機構４とを備えている。以下、ペットサークル１の各構成について説明する。
【００１８】
（トレイ２の構成）
図３に示されるように、トレイ２は、上下方向を板厚方向とし、かつ、左右方向を長手方向とした略矩形板状に形成されている。トレイ２の外周縁部には上側へ隆起された外側リブ２１が形成され、外側リブ２１はトレイ２の周方向全周にわたって形成されている。また、トレイ２の外周側の部分であって外側リブ２１の内側には上側へ隆起された内側リブ２２が形成され、内側リブ２２は平面視において略矩形状に形成されている。このような構成により、外側リブ２１と内側リブ２２との間において、上側が開放された矩形枠状のトレイ溝２３がトレイ２の外周部に形成されている。
トレイ２は、例えば熱可塑性樹脂材料又は金属材料を用いて形成されている。熱可塑性樹脂材料として、ポリプロピレン（polypropylene）を使用することができる。金属材料としては、鉄材や軽量なアルミニウム合金材料を使用することができる。
【００１９】
（サークル本体３の構成）
図１及び図２に戻って、サークル本体３は、全体として上下方向を軸方向として、上下方向が開口された略矩形筒状に形成されている。サークル本体３は、その一部を構成する「第１柵」としての右側面柵３１、背面柵３２及び左側面柵３３と、その他の一部を構成する「第２柵」としての前面柵３４とを含んで構成されている。
ここで、「第１柵」はトレイ２に組み付けられて固定された「固定柵」とされ、「第２柵」はトレイ２及び「第１柵」に脱着可能な「脱着柵」とされている。
【００２０】
（１）第１柵の構成
「第１柵」としての右側面柵３１は、トレイ２の右辺に沿ってトレイ２上に組み付けられ、トレイ２から上方へ立設されている。右側面柵３１は、上下方向へ延設された線材と前後方向へ延設された線材とを組み合わせた格子状に形成されている。
背面柵３２は、トレイ２の背面辺に沿ってトレイ２上に組み付けられ、トレイ２から上方へ立設されている。背面柵３２は右側面柵３１と同様に線材を組み合わせて格子状に形成されている。この背面柵３２は右側面柵３１と略同一高さに設定されている。背面柵３２に限らず、ここでは、左側面柵３３、前面柵３４のそれぞれは、右側面柵３１の高さと略同一高さに設定されている。
左側面柵３３は、トレイ２の左辺に沿ってトレイ２上に組み付けられ、トレイ２から上方へ立設されている。左側面柵３３は右側面柵３１と同様に線材を組み合わせて格子状に形成されている。
【００２１】
図１、図２及び図５に示されるように、トレイ２の前面右側の角部には連結具５１を介して支持柱３６１が立設されている。さらに、図１及び図２に示されるように、トレイ２の前面左側の角部には連結具５２を介して支持柱３６２が立設されている。詳しく説明すると、支持柱３６１は、「第１柵」と「第２柵」との境界部分、具体的には右側面柵３１の前側端部（第１柵の周方向一端部）と前面柵３４の右側端部（第２柵の一端部）との境界部分に設けられている。一方、支持柱３６２は、同様に「第１柵」と「第２柵」との境界部分、すなわち左側面柵３３の前側端部（第１柵の周方向他端部）と前面柵３４の左側端部（第２柵の他端部）との境界部分に設けられている。
【００２２】
図１、図２及び図５に戻って、連結具５１は、２つの連結部で、支持柱３６１が差し込まれる連結部５１１及び下側フレーム３１１が差し込まれる連結部５１２と、１つの被係止部５１３とを含んで構成されている。
連結部５１１は、トレイ２の前面右側の角部から上方へ立設され、略矩形筒状に形成されている。さらに詳しく説明すると、連結部５１１は、左右寸法と前後寸法とを等しく設定した略正方形筒状に形成されている。
連結部５１２は、トレイ溝２３に沿って角部から背面側へ延設された略矩形筒状に形成されている。さらに詳しく説明すると、連結部５１２は、左右寸法に対して上下寸法を大きく設定した略長方形筒状に形成されている。そして、連結部５１２の下部はトレイ溝２３内に嵌まり込む構成とされ、嵌まり込むと、連結具５１ではトレイ２に対する左右方向の位置決めがなされる。
被係止部５１３は、トレイ溝２３に沿って角部から左側へ延設された略矩形立方体に形成され、左右方向中間部において天壁から下方へ向かって凹設されると共に、前後方向へ貫通された構成とされている。正面視において、被係止部５１３はＵ字形状に凹設された部位を有する。被係止部５１３の下部はトレイ溝２３内に嵌まり込む構成とされ、嵌まり込むと、連結具５１ではトレイ２に対する前後方向の位置決めがなされる。
このように構成される連結具５１は、正面視、側面視及び平面視のそれぞれにおいてＬ字形状に形成されている。連結具５１は、複雑な形状に形成されているので、例えば熱可塑性樹脂材料を用いた樹脂成形法により形成されている。
【００２３】
一方、連結具５２は、図１及び図２に示されるように、左右方向の中心位置を上方へ垂直に横切る、ペットサークル１の中心線Ａ−Ａに対して、連結具５１と線対称形状に形成されている。つまり、連結具５１はトレイ２の前面右側の角部に、連結具５２はトレイ２の前面左側の角部にそれぞれ配設され、連結具５１及び連結具５２は左右一対に設けられている。連結具５２は、連結具５１の連結部５１１に対応する連結部５２１と、連結部５１２に対応する連結部５２２と、被係止部５１３に対応する被係止部５２３とを含んで構成されている。
【００２４】
図１、図２及び図５に示されるように、支持柱３６１、支持柱３６２のそれぞれは、上下方向へ延設された略矩形管状部材であり、サークル本体３の骨格部材として構成されている。
支持柱３６１の下端部は連結具５１の連結部５１１の内部に差し込まれ、図示を省略した締結部材（以下、単に「締結部材」と言う。）を用いて連結部５１１に組み付けられている。締結部材として、例えばねじ、ビス等が使用されている。支持柱３６１の上端部は、右側面柵３１、前面柵３４のそれぞれの上端部まで立設されている。
同様に、支持柱３６２の下端部は連結具５２の連結部５２１の内部に差し込まれ、締結部材を用いて連結部５２１に組み付けられている。支持柱３６２の上端部は、左側面柵３３、前面柵３４のそれぞれの上端部まで立設されている。
支持柱３６１、支持柱３６２は、例えば熱可塑性樹脂材料、又は金属材料を用いて形成されている。
【００２５】
図１及び図２に戻って、右側面柵３１の下部には下側フレーム３１１が設けられ、右側面柵３１の上部には上側フレーム３１２が設けられている。
下側フレーム３１１は、トレイ２の右辺に形成されたトレイ溝２３に沿って前面側から背面側へ向かって延設された略矩形管状部材を用いて形成され、サークル本体３の骨格部材として構成されている。下側フレーム３１１の前面側一端部は、連結具５１の連結部５１２の内部に差し込まれ、締結部材を用いて連結部５１２に組み付けられている。右側面柵３１の下部、詳細には上下方向に延在する幾つかの線材の下部が、下側フレーム３１１の上壁を貫通してこの下側フレーム３１１に組み付けられる構成とされている。ここでは、右側面柵３１の前面側、背面側、前面と背面との中間部の３箇所において、線材が下側フレーム３１１に貫通されている。
【００２６】
下側フレーム３１１の背面側他端部は連結具５３に連結されている。連結具５３は連結部５３１及び連結部５３２を含んで構成されている。連結部５３１は、トレイ溝２３に沿ってトレイ２の背面右側の角部から前面側へ延設された略矩形筒状に形成されている。連結部５３２は、連結部５３１に連結され、トレイ溝２３に沿って角部から左側へ延設された略矩形筒状に形成されている。この連結具５３は、サークル本体３の組立状態では、平面視においてＬ字形状に形成されている。
連結部５３１の背面側先端部は連結部５３２の右側先端部に上下方向において重なり合う部位を有し、この重なり合う部位には上下方向を軸方向とする図示を省略した連結ピンが設けられている。サークル本体３の非組立状態では、この連結ピンを回転中心として、連結部５３１は連結部５３２に対して水平方向に回動する構成とされている。
そして、下側フレーム３１１の背面側他端部は、連結具５３の連結部５３１の内部に差し込まれ、締結部材を用いて連結部５３１に組み付けられている。
ここで、後に説明する連結具５５、連結具５６、連結具５８のそれぞれの構成は、連結具５３の構成と同一であるので、重複する説明は省略する。
【００２７】
上側フレーム３１２は、下側フレーム３１１の上方に下側フレーム３１１に対して平行に配設された略矩形管状部材を用いて形成され、サークル本体３の骨格部材として構成されている。ここでは、上側フレーム３１２は下側フレーム３１１と同一部品として構成されている。上側フレーム３１２の前面側一端部は連結具５４を介して支持柱３６１の上端部に連結されている。
連結具５４は連結部５４１及び連結部５４２を含んで構成されている。連結部５４１は、トレイ２の前面右側の角部上において下方向へ向かって延設された略矩形筒状に形成されている。この連結部５４１の内部に支持柱３６１の上端部が差し込まれ、支持柱３６１の上端部は連結部５４１に締結部材を用いて組み付けられている。連結部５４２は、連結部５４１の上部と一体に形成され、背面側へ向かって延設された略矩形筒状に形成されている。つまり、連結具５４は、側面視において、Ｌ字形状に形成されている。
【００２８】
そして、上側フレーム３１２の前面側一端部は、連結部５４２の内部に差し込まれ、締結部材を用いて連結部５４２に組み付けられている。一方、上側フレーム３１２の背面側他端部は、連結具５５の連結部５５１の内部に差し込まれ、締結部材を用いて連結部５５１に組み付けられている。
また、右側面柵３１の上部の幾つかの線材は、上側フレーム３１２の下壁を貫通してこの上側フレーム３１２に組み付けられる構成とされている。
ここで、後に説明する連結具５４の構成は、連結具５７の構成と同一であるので、重複する説明は省略する。
【００２９】
右側面柵３１の構成と同様に、背面柵３２の下部には下側フレーム３２１が設けられ、背面柵３２の上部には上側フレーム３２２が設けられている。
下側フレーム３２１は、下側フレーム３１１よりも長い設定とされているが、基本的には下側フレーム３１１と同一の構成とされている。下側フレーム３２１の右側一端部は、連結具５３の連結部５３２の内部に差し込まれ、締結部材を用いて連結部５３２に組み付けられている。下側フレーム３２１の左側他端部は、連結具５６の連結部５６２の内部に差し込まれ、締結部材を用いて連結部５６２に組み付けられている。
上側フレーム３２２は、上側フレーム３１２よりも長い設定とされているが、基本的には上側フレーム３１２と同一の構成とされている。上側フレーム３２２の右側一端部は、連結具５５の連結部５５２の内部に差し込まれ、締結部材を用いて連結部５５２に組み付けられている。上側フレーム３２２の左側他端部は、連結具５８の連結部５８２の内部に差し込まれ、締結部材を用いて連結部５８２に組み付けられている。
【００３０】
また、右側面柵３１の構成と同様に、左側面柵３３の下部には下側フレーム３３１が設けられ、左側面柵３３の上部には上側フレーム３３２が設けられている。
下側フレーム３３１は下側フレーム３１１と同一の構成とされている。下側フレーム３３１の前面側一端部は、連結具５２の連結部５２２の内部に差し込まれ、締結部材を用いて連結部５２２に組み付けられている。下側フレーム３３１の背面側他端部は、連結具５６の連結部５６１の内部に差し込まれ、締結部材を用いて連結部５６１に組み付けられている。
上側フレーム３３２は上側フレーム３１２と同一の構成とされている。上側フレーム３３２の前面側一端部は、連結具５７の連結部５７２の内部に差し込まれ、締結部材を用いて連結部５７２に組み付けられている。連結具５７の連結部５７１の内部には支持柱３６２の上部が差し込まれ、支持柱３６２の上部は連結部５７１に締結部材を用いて組み付けられている。上側フレーム３３２の背面側他端部は、連結具５８の連結部５８１の内部に差し込まれ、締結部材を用いて連結部５８１に組み付けられている。
【００３１】
（２）第２柵の構成
「第２柵」としての前面柵３４は、図１に装着状態を示し、図２に取り外された非装着状態を示している。図１及び図２に示されるように、前面柵３４は、柵本体３４１と、出入口３４２と、扉柵３４３と、扉レール３４４と、ロック機構３４５と、係止部３４６及び係止部３４７と、柵支持部３４８と、上側フレーム３４９とを含んで構成されている。
【００３２】
柵本体３４１は、金属製の線材Ｒ１〜線材Ｒ４を主体として構成され、正面視において矩形状に形成された枠体３４１Ａと、金属製の線材Ｒ５及び線材Ｒ６により構成され、正面視において枠体３４１Ａの略右側半分を覆う格子状の柵部３４１Ｂとを備えている。
線材Ｒ１はトレイ２の前面辺に配設されたトレイ溝２３に沿って左右方向へ延設され、線材Ｒ２は線材Ｒ１の上方において線材Ｒ１に対して平行に延設されている。線材Ｒ３は一方の支持柱３６１に沿って上下方向へ延設され、線材Ｒ４は他方の支持柱３６２に沿って上下方向へ延設されている。線材Ｒ５は、上下方向へ延設され、ここでは左右方向に等間隔において１１本配列されている。線材Ｒ６は、左右方向へ延設され、ここでは下側に２本、上側に２本の合計４本が配列されている。線材Ｒ１〜Ｒ６は、交差箇所において、適宜、溶接により接合されている。
【００３３】
出入口３４２は、柵本体３４１の正面視において略左半分に配設され、格子状の柵部を配設しない貫通穴である。出入口３４２は、ペットサークル１の外内へのペットの出入口として使用されている。扉柵３４３は、柵部３４１Ｂと同様に、上下方向へ延設された線材と左右方向へ延設された線材とを組み合わせて格子状に形成され、出入口３４２を開け閉めする構成とされている。
扉柵３４３の下端部に対応する位置において、柵本体３４１には線材Ｒ１の上部にこの線材Ｒ１と略平行に左右方向へ延設された扉レール３４４（３４４Ａ）が設けられている。一方、扉柵３４３の上端部に対応する位置において、柵本体３４１には線材Ｒ２の下部にこの線材Ｒ２と略平行に左右方向へ延設された扉レール３４４（３４４Ｂ）が設けられている。扉レール３４４は線材Ｒ１又は線材Ｒ２と同様の線材を用いて形成されている。
【００３４】
正面視において、扉柵３４３の右側下部にはスライダＳ１が、左側下部にはスライダＳ２がそれぞれ設けられ、扉柵３４３の右側上部にはスライダＳ３が、左側上部にはスライダＳ４がそれぞれ設けられている。スライダＳ１及びスライダＳ２は、扉レール３４４Ａに摺動自在に通され、扉レール３４４Ａに沿って左右方向（矢印Ｂ方向）へ摺動する構成とされている。スライダＳ３及びスライダＳ４は、扉レール３４４Ｂに摺動自在に通され、扉レール３４４Ｂに沿って左右方向へ摺動する構成とされている。
すなわち、扉柵３４３は、出入口３４２を塞いでいるときに閉状態とされる。また、扉柵３４３は、左側から右側へ扉レール３４４に沿って移動させ、柵部３４１Ｂと重ね合わされると、出入口３４２を解放する開状態とされる。
【００３５】
ロック機構３４５は、正面視において、扉柵３４３の左側端部であって上下方向中間部に設けられている。詳細な構成の説明は省略するが、ロック機構３４５は、柵本体３４１の枠体３４１Ａの一部に係合可能に構成され、出入口３４２を扉柵３４３により塞ぐ閉状態を維持可能な構成とされている。なお、ロック機構３４５において枠体３４１Ａとの係合を解除すれば、出入口３４２が解放された開状態とすることができる。
【００３６】
係止部３４６は、図１及び図５に示されるように、前面柵３４が装着状態において、柵本体３４１の線材Ｒ１の被係止部５１３に対応する位置（正面視において右側端部）に配設され、線材Ｒ１の一部を背面側へ折り曲げ、更に折り返して、背面側へ突出させた形状に形成されている。図５を用いて詳しく説明すると、係止部３４６は平面視において前面側が解放されたＵ字形状に形成された部位を持っている。そして、係止部３４６の一部は被係止部５１３のＵ字形状の部位を通過して被係止部５１３の背面側を取り囲み、係止部３４６の他の一部は被係止部５１３の前面側壁に当接可能とされている。つまり、係止部３４６は被係止部５１３に簡単に係止させることができる。さらに、係止部３４６と被係止部５１３との係止状態では、前面柵３４の下部は、被係止部５１３に対して、サークル本体３の内側への移動並びに外側への移動を制限される。
係止部３４７は、係止部３４６と同様に構成されている。つまり、図１に示されるように、係止部３４７は、前面柵３４の装着状態において、柵本体３４１の線材Ｒ１の被係止部５２３に対応する位置（正面視において左側端部）に配設され、線材Ｒ１の一部を背面側へ折り曲げ、更に折り返して、背面側へ突出させた形状に形成されている。
【００３７】
柵支持部３４８は、図１及び図２に示されるように、柵本体３４１の線材Ｒ１の左右方向中間部に下方へ突出して設けられている。柵支持部３４８は、正面視において、線材Ｒ１と同様の線材をＵ字形状に折り曲げて形成され、線材Ｒ１に接合されている。
柵支持部３４８は前面柵３４をトレイ２上において支持する構成とされている。さらに、柵支持部３４８は、装着状態においてトレイ溝２３の内部に配置され、前面側への移動並びに背面側への移動を制限する構成とされている。
【００３８】
上側フレーム３４９は、図１及び図２に示されるように、柵本体３４１の上部に設けられている。上側フレーム３４９は、基本的には支持柱３６１、支持柱３６２のそれぞれと同様の略矩形管状材料を用いて形成されている。上側フレーム３４９の右側一端部はエンドキャップ３４９Ａの内部に挿入され、エンドキャップ３４９Ａは上側フレーム３４９に締結部材を用いて組み付けられている。同様に、上側フレーム３４９の左側他端部はエンドキャップ３４９Ｂの内部に挿入され、エンドキャップ３４９Ｂは上側フレーム３４９に締結部材を用いて組み付けられている。
【００３９】
（３）引掛部３７の構成
ここで、図１、図２及び図４に示されるように、背面柵３２には引掛部３７が配設されている。引掛部３７は、背面柵３２の上部において左右一対に形成されている。すなわち、本実施の形態では、２つの引掛部３７が配設されている。詳しく説明すると、引掛部３７は、背面柵３２の上下方向へ延設される線材の一部を背面側へ折り曲げ、更に前面側へ折り返して、背面側へ突出させた形状に形成されている。側面視において、引掛部３７は前面側が解放された略Ｕ字形状に形成されている。
引掛部３７は、図２に示されるように、前面柵３４が装着状態から解除されると、図４に示されるように、装着状態が解除された前面柵３４を背面柵３２の背面側へ引っ掛けて保持する構成とされている。引掛部３７には、丁度、前面柵３４の左右方向に延設される線材Ｒ６を引っ掛けることができる。
なお、引掛部３７は、３つ以上配設してもよいし、又前面柵３４に設けてもよい。
【００４０】
（脱着機構４の構成）
脱着機構４は、図１、図２、図６〜図９に示されるように、正面視において前面柵３４の右側端部の上部に配設され、更に図１及び図２に示されるように、前面柵３４の左側端部の上部に配設されている。つまり、脱着機構４は、左右一対に配設され、かつ、中心線Ａ−Ａに対して線対称形状に形成されている。ここで、前面柵３４の右側に配設された脱着機構４について説明し、前面柵３４の左側に配設された脱着機構４は、左右の向きが反転するものの同一構成であるので、説明を省略する。
脱着機構４は、特に図６〜図９に示されるように、ガイド部４１と、脱着摺動部４２とを含んで構成されている。
【００４１】
（１）ガイド部４１の構成
図６に示されるように、ガイド部４１は、左側から右側へ延設され、右側端において上方へ折り曲げられ、上方端において左側へ折り曲げられた線材により形成されている。全体として、ガイド部４１は、正面視において、左側を解放したＵ字形状に形成されている。ガイド部４１の上下の線材は平行に左右方向に延設されている。
図６〜図９に示されるように、ガイド部４１の右側端部（折り返し部位）は、支持柱３６１の前面壁から右側面壁に沿って約９０度折り曲げられ、右側面柵３１に重複させている。この線材として、前面柵３４の線材Ｒ１等と同様の線材が使用されている。そして、ガイド部４１は枠本体３４１に接合されている。
ガイド部４１は、基本的に、脱着摺動部４２を摺動可能に支持する構成とされている。上記の通り、ガイド部４１が支持柱３６１に沿って折り曲げられているので、ガイド部４１は、前面柵３４のペットサークル１の内側への倒れ込み、並びにペットサークル１に対する左右方向の移動を制限する部位としても使用されている。
【００４２】
（２）脱着摺動部４２の構成
脱着摺動部４２は、図６〜図９、図１０（Ａ）、図１１（Ａ）に示されるように、脱着部４２１と、被ガイド部４２２と、操作部４２３と、弾性体４２４とを主要な構成として備えている。なお、図８において、脱着摺動部４２の構成を理解し易くするために、脱着摺動部４２の輪郭は太い実線を用いて示されている。
【００４３】
まず、脱着部４２１は、ベース部４２１Ａと、第１装着部４２１Ｂと、第２装着部４２１Ｃとを含んで構成されている。
ベース部４２１Ａは、支持柱３６１の左側面壁に対向する面を有し、左右方向の厚さに比し上下方向及び前後方向の長さが長い略矩形箱状に形成されている。図１０（Ａ）に示されるように、このベース部４２１Ａの支持柱３６１に対向する面には、支持柱３６１側、すなわち右側に向かって突出された上下一対の接触部位Ｐ１及び接触部位Ｐ２が配設されている。
接触部位Ｐ１は、ベース部４２１Ａの下部に配設され、上下方向を厚さ方向とし、前後方向を長手方向として、ベース部４２１Ａに一体に形成されている。接触部位Ｐ２は、接触部位Ｐ１の上方において接触部位Ｐ１に対して平行にベース部４２１Ａの上部に配設されている。接触部位Ｐ２は、接触部位Ｐ１と同様に、上下方向を厚さ方向とし、前後方向を長手方向として、ベース部４２１Ａに一体に形成されている。接触部位Ｐ１及び接触部位Ｐ２は、前面柵３４がサークル本体３に装着状態のとき（以下、単に「装着状態のとき」と言う。）支持柱３６１に接触する構成とされている。
【００４４】
第１装着部４２１Ｂは、図６〜図９、図１０（Ａ）に示されるように、ベース部４２１Ａの前面側から右方向へ立設され、装着状態のとき支持柱３６１の前面壁に対向する、又は接触する構成とされている。第１装着部４２１Ｂの上下方向の寸法は、ベース部４２１Ａの同一方向の寸法に略一致させている。
図１０（Ａ）及び図１１（Ａ）に示されるように、本実施の形態では、ベース部４２１Ａ、第１装着部４２１Ｂのそれぞれは、同様の材料を用いて形成されているが、別部品として形成されている。ベース部４２１Ａ、第１装着部４２１Ｂのそれぞれは、例えば熱可塑性樹脂材料を用いて樹脂成形法により形成されている。
第１装着部４２１Ｂの背面側には、上下それぞれから更に背面方向へ突出させたフック状の係止部Ｆ１及び係止部Ｆ２が設けられている。一方、ベース部４２１Ａの上壁には係止部Ｆ１に係合される貫通孔により形成された被係止部Ｈ１が設けられ、ベース部４２１Ａの下壁には、作図上、記載されていないが、係止部Ｆ２に係合される被係止部Ｈ１と同様の被係止部が設けられている。双方の係止がなされることにより、第１装着部４２１Ｂはベース部４２１Ａに一体的に形成されている。
【００４５】
第２装着部４２１Ｃは、図８、図９、図１０（Ａ）及び図１１（Ａ）に示されるように、ベース部４２１Ａの背面側から右方向へ立設され、装着状態のとき支持柱３６１の背面壁に対向する、又は接触する構成とされている。第２装着部４２１Ｃの上下方向の寸法はベース部４２１Ａの同一方向の寸法に比し若干小さい設定とされている。図１０（Ａ）及び図１１（Ａ）に示されるように、本実施の形態では、ベース部４２１Ａ、第２装着部４２１Ｃのそれぞれは一体に形成されている。
【００４６】
図６〜図９に示されるように、装着状態のとき脱着摺動部４２のベース部４２１Ａの接触部位Ｐ１、接触部位Ｐ２、第１装着部４２１Ｂ及び第２装着部４２１Ｃは、支持柱３６１の前面壁、左側面壁及び背面壁を取り囲む構成とされている。図８に示されるように、脱着摺動部４２は平面視において左方向へ凹む凹形状に形成されている。
【００４７】
被ガイド部４２２は、図１１（Ａ）に示されるように、第１装着部４２１Ｂの内部に第１装着部４２１Ｂと一体に形成され、符号を省略するが左右方向を板厚方向として左右方向に所定間隔を持って配設された２枚の仕切り部位に形成されている。１枚の仕切り部位の上下にそれぞれ被ガイド部４２２が配設され、他の１枚の仕切り部位の上下にもそれぞれ被ガイド部４２２が配設されている。すなわち、合計、４個の被ガイド部４２２が配設されている。被ガイド部４２２は、いずれも、側面視において背面側が解放されたＵ字形状に形成されている。被ガイド部４２２は、第１装着部４２１Ｂとベース部４２１Ａとが一体的に形成されることにより、周囲が囲まれて左右方向へ貫通する貫通孔として形成されている。
この被ガイド部４２２には図６〜図９に示されるガイド部４１が挿入され、脱着摺動部４２はガイド部４１の延設方向に沿って左右方向（矢印Ｃ方向）へ摺動する構成とされている。
【００４８】
弾性体４２４には、図１０（Ａ）及び図１１（Ａ）に示されるように、ここでは引張りコイルばねが使用されている。
弾性体４２４の一端部４２４Ａは、図１１（Ａ）に示される、第１装着部４２１Ｂから背面側へ立設された止めピンＰ３に通されて、脱着摺動部４２の内部に固定されている。止めピンＰ３の立設方向先端部は、図１０（Ａ）に示される、ベース部４２１Ａの前面側に設けられた支持孔Ｈ３の内部に挿入され、止めピンＰ３は両端支持梁構造において支持されている。
一方、弾性体４２４の他端部４２４Ｂは、図６〜図９に示されるように、ガイド部４１の左右方向中間部、丁度、正面視において支持柱３６１と重なる位置に、ガイド部４１の上下の線材に掛け渡された基端バー４１１に取り付けられている。
このように取り付けられる弾性体４２４は、ガイド部４１に沿って、常時、右方向へ、すなわち脱着摺動部４２を支持柱３６１に嵌合させる方向へ付勢されている。
【００４９】
操作部４２３は、図６〜図９に示されるように、正面視において第１装着部４２１Ｂの左側から前面側へ立設されている。ここでは、操作部４２３は第１装着部４２１Ｂと一体に形成されている。操作部４２３の右側壁４２３Ａの上下方向中間部には、正面視において左側へ凹む円弧形状に形成された凹部４２３Ｂが設けられている。
操作部４２３の凹部４２３Ｂでは、弾性体４２４の弾性力に抗してペットサークル１の取扱者が操作部４２３を左方向へ押すときに、取扱者の手又は指が操作部４２３の上下方向中間部分へ導かれ、手又指が操作部４２３から滑って外れに難くされている。
【００５０】
（３）アシスト部４３の構成
図６〜図８に示されるように、脱着機構４は更にアシスト部４３を備えている。アシスト部４３は、正面視において、ガイド部４１の左端部に配設されている。また、アシスト部４３は、ガイド部４１に対して上下方向へ直交し、かつ、ガイド部４１に接合された基端バー４１２と、基端バー４１２よりも右側に配設された線材Ｒ５との間に配置されている。このため、アシスト部４３では、ガイド部４１に沿った左右方向の移動が規制されている。
【００５１】
アシスト部４３は、図１０（Ａ）及び図１１（Ｂ）に示されるように、ガイド部４１の前面側に設けられた操作基端部４３１と、ガイド部４１の背面側に設けられた固定部４３２とを含んで構成されている。
操作基端部４３１は、背面側に開口を有する略有底矩形筒状に形成され、左右方向の寸法に対して上下方向の寸法を大きい設定としている。操作基端部４３１の背面側には、脱着摺動部４２の被ガイド部４２２（図１１（Ａ）参照）と同様の被ガイド部４３３が配設されている。
固定部４３２は、前面側に開口を有する略有底矩形筒状に形成されている。
操作基端部４３１の背面側には、上下それぞれから更に背面方向へ突出されたフック状の係止部Ｆ４及び係止部Ｆ５が設けられている。一方、固定部４３２の上壁には係止部Ｆ４に係合される貫通孔により形成された被係止部Ｈ４が設けられ、固定部４３２の下壁には係止部Ｆ５に係合される被係止部Ｈ５が設けられている。双方が係止されることにより、固定部４３２はガイド部４１を挟み込んで操作基端部４３１に一体的に形成されている。
【００５２】
また、図６、図７、図１０（Ｂ）及び図１１（Ｂ）に示されるように、操作基端部４３１の左側壁４３１Ａには、操作部４２３の凹部４２３Ｂと同様に、正面視において右側へ凹む円弧形状に形成された凹部４３１Ｂが設けられている。これにより、取扱者の手又は指が操作基端部４３１の上下方向中間部へ導かれ、手又は指が操作基端部４３１から滑って外れ難くされている。
【００５３】
（４）ストッパ４４の構成
脱着機構４は、図６〜図８に示されるように、更にストッパ４４を備えている。ストッパ４４は、可動部位４４１と、規制部位４４２とを含んで構成されている。
規制部位４４２は、正面視において、前面柵３４の上部に配設された扉レール３４４Ｂの部位から下方向へ線材を延設し、延設方向下端から折り返して上方向へ再度延設し、上方が解放されたＵ字形状に形成されている。この規制部位４４２は、丁度、脱着摺動部４２とアシスト部４３との間に配置されている。規制部位４４２がガイド部４１に接するか、又はその近傍に位置するときには、脱着摺動部４２のガイド部４１に沿った左方向への摺動が規制され、脱着摺動部４２は支持柱３６１から外れない（装着状態とする）構成とされている。
一方、可動部位４４１は、規制部位４４２の上端部に一体に形成され、扉レール３４４Ｂに巻き付ける構成とされている。つまり、可動部位４４１は、扉レール３４４Ｂを中心軸として、規制部位４４２を前面側、かつ、上方側へ回動可能としている。図６に破線を用いて、そして図１２に実線を用いて記載されるように、ストッパ４４の規制部位４４２が操作部４２３と接触しないまで回動されると、脱着摺動部４２はガイド部４１に沿った左方向への摺動が許容され、脱着摺動部４２を支持柱３６１から取り外す（非装着状態とする）ことができる。
【００５４】
（付属品の構成）
図１に戻って、本実施の形態に係るペットサークル１では、サークル本体３の外側に籠６が取り付けられている。この籠６はペット用おもちゃ、ブラシ等の小物を置ける構成とされ、サークル本体３への籠６の取り付け、取り外しは簡易に行える。
また、ペットサークル１では、サークル本体３の内側にプレート７が取り付けられている。このプレート７は餌、水等をおける部位を持っている。同様に、サークル本体３へのプレート７の取り付け、取り外しは簡易に行える。
【００５５】
（作用及び効果）
上記ペットサークル１は、図１及び図２に示されるように、トレイ２と、サークル本体３の一部を構成する「第１柵」としての右側面柵３１、背面柵３２及び左側面柵３３と、サークル本体３の他の一部を構成する「第２柵」としての前面柵３４とを備える。
サークル本体３の上下方向は開口される。トレイ２は上下方向を板厚方向とする板状に形成される。右側面柵３１、背面柵３２及び左側面柵３３は、トレイ２の周縁の一部に沿ってトレイ２に組み付けられ、トレイ２から上方へ立設される。前面柵３４は、トレイ２の周縁の他部に沿ってトレイ２に組み付けられ、トレイ２から上方へ立設される。
ここで、前面柵３４は、トレイ２と、右側面柵３１、背面柵３２及び左側面柵３３とに対して脱着可能に配設され、そしてペットサークル１は更に脱着機構４を備える。脱着機構４は、ここでは前面柵３４に配設される。脱着機構４では、図１に示されるように、トレイ２と右側面柵３１、背面柵３２及び左側面柵３３とに前面柵３４を取り付け、前面柵３４を装着状態に維持することができる。また、脱着機構４では、図２に示されるように、トレイ２と右側面柵３１、背面柵３２及び左側面柵３３とから前面柵３４を取り外し、前面柵３４を非装着状態にすることができる。
このため、ペットサークル１において、前面柵３４が脱着可能であるので、前面柵３４を取り外してトレイ２の掃除を簡単に行うことができる。
【００５６】
また、ペットサークル１は、図１、図２及び図５に示されるように、係止部３４６及び係止部３４７と、被係止部５１３及び被係止部５２３とを備える。係止部３４６及び係止部３４７は前面柵３４の下部に設けられる。被係止部５１３は係止部３４６に対応する位置においてトレイ２側に設けられる。ここでは、被係止部５１３はトレイ２に組み付けられた連結具５１に設けられる。前面柵３４が装着状態のとき、被係止部５１３は係止部３４６に係止される。被係止部５２３は係止部３４７に対応する位置においてトレイ２に設けられる。同様に、ここでは、被係止部５２３はトレイ２に組み付けられた連結具５２に設けられ、前面柵３４が装着状態のとき、被係止部５２３は係止部３４７に係止される。
このため、係止された部位は、例えば脱着機構４に比し、確実にしかも強固に装着状態を維持することができるので、前面柵３４が不用意に外れることを効果的に抑制することができる。
加えて、脱着機構４に比し、係止部３４６、係止部３４７、被係止部５１３及び被係止部５２３は簡易な構成とされ、脱着機構４の配設個数を削減することができる。このため、ペットサークル１の全体構成を簡易に実現することができる。
また、脱着機構４が前面柵３４の上部に配設されているので、脱着機構４が前面柵３４の下部に配設された場合に比し、取扱者による脱着機構４を用いた前面柵３４の脱着作業を楽に行うことができる。少し補足すると、取扱者においては、腰を深く曲げて脱着作業をする必要がなく、腰を深く曲げない楽な姿勢により脱着作業をすることができる。
【００５７】
さらに、ペットサークル１は、図１及び図２に示されるように、サークル本体３の骨格部材を構成する一対の支持柱３６１及び支持柱３６２を備える。支持柱３６１は、右側面柵３１と前面柵３４との境界部分においてトレイ２の上面から右側面柵３１及び前面柵３４の上部まで立設され、右側面柵３１の前面側端部に連結される。支持柱３６２は、左側面柵３３と前面柵３４との境界部分においてトレイ２の上面から左側面柵３３及び前面柵３４の上部まで立設され、左側面柵３３の前面側端部に連結される。
このため、骨格部材を構成する支持柱３６１及び支持柱３６２を用いてサークル本体３が構築されているので、サークル本体３の機械的強度を向上させてペットサークル１の全体の剛性を高めることができる。
そして、図６〜図９に示されるように、脱着機構４は、支持柱３６１、支持柱３６２のそれぞれに前面柵３４を装着し、かつ、支持柱３６１、支持柱３６２のそれぞれから前面柵３４の装着状態を解除する構成とされる。
このため、脱着機構４が、機械的強度の高い支持柱３６１及び支持柱３６２に前面柵３４を装着させ、支持柱３６１及び支持柱３６２から前面柵３４の装着状態を解除させているので、脱着機構４を含めてペットサークル１の全体の剛性を向上させることができる。
【００５８】
また、ペットサークル１は、図１、図６〜図９、図１０（Ａ）及び図１１（Ａ）に示されるように、脱着機構４に、ガイド部４１と、脱着摺動部４２とを備える。
ガイド部４１は、一方では前面柵３４の右側端部から支持柱３６１へ延設され、他方では前面柵３４の左側端部から支持柱３６２へ延設される。
脱着摺動部４２は、ガイド部４１に摺動可能に配設されている。図１及び図６〜図９に示されるように、脱着摺動部４２は、前面柵３４が装着状態のとき、正面視において、右側では支持柱３６１に嵌合され、左側でも支持柱３６２に嵌合される。この嵌合が解除されたとき、脱着摺動部４２は、右側では図２及び図１２に示されるように、そして左側では図２に示されるように、前面柵３４の装着状態が解除される。
このため、ペットサークル１では、脱着機構４の脱着摺動部４２をガイド部４１に沿って摺動させるだけで、トレイ２、右側面柵３１、背面柵３２及び左側面柵３３に対して、前面柵３４を簡単に装着することができ、又取り外すことができる。
【００５９】
さらに、ペットサークル１は、図６〜図９、図１０（Ａ）及び図１１（Ａ）に示されるように、脱着機構４に、弾性体４２４を備える。弾性体４２４の一端部４２４Ａは脱着摺動部４２に取り付けられ、弾性体４２４の他端部４２４Ｂはガイド部４１に取り付けられる。右側に配設された脱着機構４では、弾性体４２４は脱着摺動部４２を支持柱３６１に嵌合させる方向（右方向）へ付勢させる。左側に配設された脱着機構４では、弾性体４２４は脱着摺動部４２を支持柱３６２に嵌合させる方向（左方向）へ付勢させる。
このため、装着状態のとき、前面柵３４は、脱着機構４の弾性体４２４により支持柱３６１、支持柱３６２のそれぞれに、常時、嵌合状態とされ、この嵌合状態が維持されるので、前面柵３４は外れ難い。一方、脱着機構４では、弾性体４２４の弾性力に抗して、ガイド部４１に沿って脱着摺動部４２を移動させるだけで、前面柵３４を簡単に外すことができる。
【００６０】
また、ペットサークル１は、図６〜図８に示されるように、ストッパ４４を備える。ストッパ４４では、前面柵３４の装着状態を解除する脱着摺動部４２のガイド部４１に沿った摺動が規制される。詳しく説明すると、図７に示されるように、ストッパ４４の規制部位４４２がガイド部４１に接するか近接しているとき、脱着摺動部４２のガイド部４１に沿った摺動が規制され、装着状態が維持される。また、図１２に示されるように、ストッパ４４の規制部位４４２が可動部位４４１を中心として前面側に回転移動されると、摺動の規制が解除される。脱着摺動部４２はガイド部４１に沿って摺動可能となり、前面柵３４は取り外し可能となる。
このため、取扱者が意図しない前面柵３４の装着状態の不必要な解除を効果的に抑制又は防止することができる。
【００６１】
さらに、ペットサークル１は、図６〜図８、図１０（Ｂ）、図１１（Ｂ）及び図１２に示されるように、アシスト部４３を備える。アシスト部４３は、正面視において右側では、脱着機構４の脱着摺動部４２よりも左側に離間して前面柵３４に固定される。このアシスト部４３では、支持柱３６１との嵌合を解除して脱着摺動部４２を左方向へ摺動させ易くすることができる。例えば、取扱者が右手を用いて操作するとき、親指をアシスト部４３に掛け、残りの指を脱着摺動部４２に掛けて握ることにより、簡単にアシスト部４３側へ脱着摺動部４２を引き寄せることができる。
一方、アシスト部４３は、正面視において左側では、脱着機構４の脱着摺動部４２よりも右側に離間して前面柵３４に固定される。このアシスト部４３では、支持柱３６２との嵌合を解除して脱着摺動部４２を右方向へ摺動させ易くすることができる。
【００６２】
また、ペットサークル１は、図１、図２及び図４に示されるように、背面柵３２に引掛部３７を配設する。引掛部３７は、図４に示されるように、装着状態が解除された前面柵３４を引っ掛ける。
このため、トレイ２の掃除に際して、背面柵３２の背面側へ、取り外した前面柵３４を一時的に置くことができるので、前面柵３４が邪魔にならないでトレイ２の掃除を簡単に行うことができる。
【００６３】
（その他の実施の形態）
以上説明したように、本考案は、上記実施の形態に限定されるものではなく、その要旨を逸脱しない範囲において、種々変更可能である。
例えば、本考案は、サークル本体において前面柵ではなく、右側面柵、背面柵、左側面柵のいずれか１つが少なくとも取り外せる構成としたペットサークルであってもよい。
また、本考案は、サークル本体の右側面柵、背面柵、左側面柵のそれぞれが別々の部品ではなく、連結された固定柵として構成されたペットサークルであってもよい。
さらに、本考案は、サークル本体の平面形状を、矩形状以外の多角形状、円形状、又は楕円形状としたペットサークルであってもよい。
また、前述の実施の形態に係るペットサークルでは、第２柵としての前面柵に脱着機構が取り付けられているが、本考案は、第１柵としての右側面柵、左側面柵のそれぞれに脱着機構を備えてもよい。
【符号の説明】
【００６４】
１     ペットサークル
２     トレイ
３     サークル本体
３１   右側面柵（第１柵）
３２   背面柵（第１柵）
３３   左側面柵（第１柵）
３４   前面柵（第２柵）
３４６、３４７       係止部
３６１、３６２       支持柱
３７   引掛部
４     脱着機構
４１   ガイド部
４２   脱着摺動部
４２４ 弾性体
４３   アシスト部
４４   ストッパ
５１３、５２３       被係止部
【図１】
0003220139.tif 000003
【図２】
0003220139.tif 000004
【図３】
0003220139.tif 000005
【図４】
0003220139.tif 000006
【図５】
0003220139.tif 000007
【図６】
0003220139.tif 000008
【図７】
0003220139.tif 000009
【図８】
0003220139.tif 000010
【図９】
0003220139.tif 000011
【図１０】
0003220139.tif 000012
【図１１】
0003220139.tif 000013
【図１２】
0003220139.tif 000014